(57)【要約】【課題】虫に逃げられにくい虫捕獲具を提供する。【解決手段】虫Ｍをすくい入れることができる容器本体１０を塞ぐことができる蓋体２０を備え、容器本体１０は、虫Ｍを容器本体１０内にすくい入れることができるすくい辺１１ａを有する底板部１１と、底板部１１のすくい辺１１ａ以外の縁部から起立する周壁部１２と、周壁部１２から、すくい辺１１ａ方向と逆方向へ延びる取っ手部１４とを備え、蓋体２０は、容器本体１０に入った虫Ｍが出ないように容器本体１０の上部を塞ぐ天板部２１と、天板部２１から、取っ手部１４と同方向へ、取っ手部１４と対向するように延びる摘み部２４とを備え、蓋体２０は、容器本体１０に対して連結部で開閉可能に連結され、かつ、摘み部２４の取っ手部１４に向かう押し操作にて開位置に保持され、摘み部２４の押圧解除操作にて閉じる。【選択図】図４
2020000118.tif 000002
【特許請求の範囲】
【請求項１】
虫（Ｍ）をすくい入れることができる容器本体（１０）と、この容器本体（１０）を塞ぐことができる蓋体（２０）とを備え、前記容器本体（１０）は、虫（Ｍ）を容器本体（１０）内にすくい入れることができるすくい辺（１１ａ）を有する底板部（１１）と、この底板部（１１）の前記すくい辺（１１ａ）以外の縁部（１１ｂ）から起立する周壁部（１２）と、この周壁部（１２）から、前記すくい辺（１１ａ）方向と逆方向（Ｘ２）へ延びる取っ手部（１４）とを備えた虫捕獲具であって、
前記蓋体（２０）は、前記容器本体（１０）に入った虫（Ｍ）が出ないように容器本体（１０）の上部を塞ぐ天板部（２１）と、この天板部（２１）から、前記取っ手部（１４）と同方向へ、該取っ手部（１４）と対向するように延びる摘み部（２４）とを備え、
前記蓋体（２０）は、容器本体（１０）に対して連結部（３０）で開閉可能に連結され、かつ、前記摘み部（２４）の前記取っ手部（１４）に向かう押し操作（Ｐ）にて開位置に保持され、該摘み部（２４）の押圧解除操作にて閉じることを特徴とする虫捕獲具。
【請求項２】
請求項１において、
前記蓋体（２０）は、透明または半透明であることを特徴とする虫捕獲具。
【請求項３】
請求項１または２において、
前記蓋体（２０）と容器本体（１０）との間には、前記蓋体（２０）を閉じ方向へ付勢する付勢部材（４０）が設けられていることを特徴とする虫捕獲具。
【請求項４】
請求項１〜３のうちいずれか一項において、
前記すくい辺（１１ａ）と前記取っ手部（１４）との間には、容器本体（１０）内に入った虫（Ｍ）の取っ手（１４）側への移動を規制する仕切部（１７）が設けられていることを特徴とする虫捕獲具。
【発明の詳細な説明】
【技術分野】
【０００１】
本発明は、虫捕獲具に関するものである。主として、例えば、カメムシ、ムカデ、ゴキブリ等の害虫を捕獲するのに適した虫捕獲具に関するものである。
【背景技術】
【０００２】
従来、例えば特許文献１に見られるような害虫捕獲具が知られている。同文献の符号を借りて説明すると、この害虫捕獲具は、
虫をすくい入れることができる容器本体６と、この容器本体６を塞ぐことができる蓋体７とを備え、容器本体６は、虫を容器本体６内にすくい入れることができるすくい辺を有する底板部と、この底板部のすくい辺以外の縁部から起立する周壁部１０，１１，１２と、この周壁部から、前記すくい辺方向と逆方向へ延びる取っ手部１４とを備え、
前記蓋体７は、容器本体６に入った虫が出ないように容器本体６の開口１３を塞ぐことができるように、容器本体６に対して回動可能に取り付けられている。
【０００３】
この害虫捕獲具によれば、同文献００１８および００１９段落に記載されているように、使用者は、一方の手で容器６を持ち、害虫を容器６内に入れた後、ヘラ２や他方の手で蓋本体２１を開口１３側に押圧して蓋部材７を閉塞位置に移動させることで害虫を捕獲することができる。
【先行技術文献】
【特許文献】
【０００４】
【特許文献１】特許第５６５２６８６号公報
【発明の概要】
【発明が解決しようとする課題】
【０００５】
上述した従来の虫捕獲具で虫を捕獲するには、虫を容器６内に入れた後、ヘラ２や他方の手で蓋本体２１を開口１３側に押圧して蓋部材７を閉塞位置に移動させる必要がある。
つまり、他方の手で蓋部材７の閉じ操作を行う必要がある。
そのため、蓋部材７の閉じ操作を速やかに行うことができない場合、そのすきに虫に逃げられてしまうおそれがある。
【０００６】
本発明が解決しようとする課題は、虫に逃げられにくい虫捕獲具を提供することである。
【課題を解決するための手段】
【０００７】
上記課題を解決するために本発明の虫捕獲具は、
虫をすくい入れることができる容器本体と、この容器本体を塞ぐことができる蓋体とを備え、前記容器本体は、虫を容器本体内にすくい入れることができるすくい辺を有する底板部と、この底板部の前記すくい辺以外の縁部から起立する周壁部と、この周壁部から、前記すくい辺方向と逆方向へ延びる取っ手部とを備えた虫捕獲具であって、
前記蓋体は、前記容器本体に入った虫が出ないように容器本体の上部を塞ぐ天板部と、この天板部から、前記取っ手部と同方向へ、該取っ手部と対向するように延びる摘み部とを備え、
前記蓋体は、容器本体に対して連結部で開閉可能に連結され、かつ、前記摘み部の前記取っ手部に向かう押し操作にて開位置に保持され、該摘み部の押圧解除操作にて閉じることを特徴とする。
【０００８】
この虫捕獲具は、
虫をすくい入れることができる容器本体と、この容器本体を塞ぐことができる蓋体とを備え、前記容器本体は、虫を容器本体内にすくい入れることができるすくい辺を有する底板部と、この底板部の前記すくい辺以外の縁部から起立する周壁部と、この周壁部から、前記すくい辺方向と逆方向へ延びる取っ手部とを備えているので、
使用者は、取っ手部を持ってすくい辺から虫を容器内にすくい入れた後、蓋体で容器本体を塞ぐことで虫を捕獲することができる。
【０００９】
そして、蓋体は、容器本体に入った虫が出ないように容器本体の上部を塞ぐ天板部と、この天板部から、前記取っ手部と同方向へ、該取っ手部と対向するように延びる摘み部とを備え、容器本体に対して連結部で開閉可能に連結され、かつ、前記摘み部の前記取っ手部に向かう押し操作にて開位置に保持され、該摘み部の押圧解除操作にて閉じるから、虫をすくう際には、摘み部を取っ手部へ向けて押し操作して開いた状態として、虫をすくい、その直後に摘み部の押圧を解除することにより閉じて虫を容器本体に閉じ込めることができる。
摘み部は、取っ手部と同方向へ、該取っ手部と対向するように延びているので、使用者は、片手で、取っ手部を持ち、親指で摘み部を押圧して蓋体を開いた状態で虫をすくい、その後、親指による押圧を解除するだけで速やかに蓋を閉じることができる。
したがって、虫に逃げられにくくなる。
【００１０】
この虫捕獲具においては、
前記蓋体は、透明または半透明である構成とすることができる。
このように構成すると、容器本体内に虫が捕獲されたことを目視確認することができる。
【００１１】
この虫捕獲具においては、
前記蓋体と容器本体との間には、前記蓋体を閉じ方向へ付勢する付勢部材が設けられている構成とすることができる。
このように構成すると、摘み部の押圧を解除した際、付勢部材によって、より速やかに蓋体が閉じられるので、より速やかに虫を捕獲することが可能となる。
【００１２】
この虫捕獲具においては、
前記すくい辺と前記取っ手部との間には、容器本体内に入った虫の取っ手側への移動を規制する仕切部が設けられている構成とすることができる。
このように構成すると、容器本体内に入った虫が取っ手側すなわち使用者の手に向かって迫るのを仕切部によって阻止することができる。
したがって、特に、蓋体を透明または半透明とした場合に、虫が使用者の手に向かって来ることによる不気味さ（使用者が受ける可能性のある気味悪さ、不快感）を低減することができる。
【図面の簡単な説明】
【００１３】
【図１】（ａ）（ｂ）はそれぞれ本発明に係る虫捕獲具の実施の形態を示す斜視図。
【図２】（ａ）は図１（ａ）における２ａ−２ａ断面図、（ｂ）は図（ｃ）におけるｂ−ｂ断面図、（ｃ）は図（ｂ）におけるｂ矢視図。
【図３】使用状態説明斜視図。
【図４】他の実施の形態を示す斜視図。
【発明を実施するための形態】
【００１４】
以下、本発明に係る虫捕獲具の実施の形態について図面を参照して説明する。なお、各図において、同一部分ないし相当する部分には、同一の符号を付してある。
【００１５】
図１〜図３に示すように、この実施の形態の虫捕獲具１は、虫Ｍ（図３）をすくい入れることができる容器本体１０と、この容器本体１０を塞ぐことができる蓋体２０とを備えている。
【００１６】
容器本体１０は、虫Ｍを容器本体１０内にすくい入れることができるすくい辺１１ａを有する底板部１１と、この底板部１１の前記すくい辺１１ａ以外の縁部１１ｂから起立する周壁部１２と、この周壁部１２から、前記すくい辺１１ａ方向（矢印Ｘ１方向）と逆方向（矢印Ｘ２方向）へ延びる取っ手部１４とを備えている。
【００１７】
蓋体２０は、容器本体１０に入った虫Ｍが出ないように容器本体１０の上部を塞ぐ天板部２１と、この天板部２１から、前記取っ手部１４と同方向（矢印Ｘ２方向）へ、該取っ手部１４と対向するように延びる摘み部２４とを備えている。
【００１８】
蓋体２０は、容器本体１０に対して連結部３０（図２）で開閉可能に連結され、かつ、摘み部２４の取っ手部１４に向かう押し操作Ｐにて開位置（図１（ｂ）参照）に保持され、摘み部２４の押圧解除操作にて閉じる（図１（ａ）、図２参照）。
【００１９】
この虫捕獲具１は、
虫Ｍをすくい入れることができる容器本体１０と、この容器本体１０を塞ぐことができる蓋体２０とを備え、容器本体１０は、虫Ｍを容器本体１０内にすくい入れることができるすくい辺１１ａを有する底板部１１と、この底板部１１のすくい辺１１ａ以外の縁部１１ｂから起立する周壁部１２と、この周壁部１２から、すくい辺１１ａ方向と逆方向へ延びる取っ手部１４とを備えているので、
使用者は、例えば図３に示すように取っ手部１４（図２（ｂ））を持ってすくい辺１１ａから虫Ｍを容器本体１０内にすくい入れた後、蓋体２０で容器本体１０を塞ぐことで虫Ｍを捕獲することができる。
【００２０】
そして、蓋体２０は、容器本体１０に入った虫Ｍが出ないように容器本体１０の上部を塞ぐ天板部２１と、この天板部２１から、前記取っ手部１４と同方向へ、該取っ手部１４と対向するように延びる摘み部２４とを備え、容器本体１０に対して連結部３０で開閉可能に連結され、かつ、摘み部２４の取っ手部１４に向かう押し操作Ｐにて開位置に保持され、該摘み部２４の押圧解除操作にて閉じるから、虫Ｍをすくう際には、例えば図３に示すように摘み部２４を取っ手部１４へ向けて押し操作して蓋体２０を開いた状態として、虫Ｍをすくい、その直後に摘み部２４の押圧を解除することにより蓋体２０を閉じて虫Ｍを容器本体１０に閉じ込めることができる。
【００２１】
摘み部２４は、取っ手部１４と同方向へ、該取っ手部１４と対向するように延びているので、使用者は、例えば図３に示すように片手Ｈで、取っ手部１４を持ち、親指Ｈ１で摘み部２４を押圧して蓋体２０を開いた状態で虫Ｍをすくい、その後、親指Ｈ１による押圧を解除するだけで速やかに蓋体２０を閉じることができる。
したがって、虫Ｍに逃げられにくくなる。
【００２２】
なお、容器本体１０で虫Ｍをすくう動作は、例えば虫Ｍがいる床面にすくい辺１１ａを沿わせるようにしてこの捕獲具１を虫Ｍに向けて（矢印Ｘ１方向に）スライドさせることで行うことができる。
捕獲した虫Ｍは、例えば屋外に行って、摘み部２４を押圧して蓋体２０を開き、解き放てばよい。
【００２３】
蓋体２０は、透明または半透明とする。
このように構成すると、容器本体１０内に虫Ｍが捕獲されたことを目視確認することができる。
【００２４】
図２（ｂ）（ｃ）に示すように、蓋体２０と容器本体１０との間には、蓋体２０を閉じ方向へ付勢する付勢部材４０が設けられている構成とする。
このように構成すると、摘み部２４の押圧を解除した際、付勢部材４０によって、より速やかに蓋体２０が閉じられるので、より速やかに虫Ｍを捕獲することが可能となる。
【００２５】
付勢部材４０を設けなくても、蓋体３０は、摘み部２４の押圧解除操作にて自重で閉じるが、付勢部材４０を設けることによって、摘み部２４の押圧解除時に、より速やかに蓋体２０が閉じるようになる。
【００２６】
容器本体１０および蓋体２０は、適宜の材料、例えば、合成樹脂で構成することができる。
図２（ｂ）にも示されるように、容器本体１０はすくい辺１１ａから奥部（矢印Ｘ２方向）に向かって徐々に深くなる側面視テーパ状で薄皿状の容器であり、その最奥部に取っ手部１４が一体に設けられている。容器本体１０を必要以上に大きくせず、側面視テーパ状で薄皿状の容器とすることで、軽量化が図られ、片手での操作性が高められる。
【００２７】
蓋体２０の天板部２１は、蓋体２０を閉じた際に、容器本体１０のすくい辺１１ａ、周壁部１２の上縁１２ｂおよび前縁１２ｃにそれぞれ密に接する。「密に」とは、捕獲した虫が出ない程度にという意味である。
【００２８】
連結部３０および付勢部材４０は、適宜、公知のものを採用し得る。
例えば図２（ｂ）（ｃ）に示すように、容器本体１０に設けた軸受け部１５，１５と、その間に配置される蓋体２０の軸受け部２５と、付勢部材としてのねじりコイルバネ（４０）とに、軸（例えば金属製のピン）１６を挿通することで連結部３０を構成することができる。ねじりコイルバネ４０の一端４１は容器本体１０に当接し、他端４２は蓋体２０に当接または埋設される。図示のものは、埋設されている。
【００２９】
図４は他の実施の形態を示す斜視図である。
この実施の形態が上述した実施の形態と異なる点は、すくい辺１１ａと取っ手部１４との間に、容器本体１０内に入った虫Ｍの取っ手側（矢印Ｘ２方向）への移動を規制する仕切部１７が設けられている点にあり、その他の点に変わりはない。
【００３０】
このように構成すると、容器本体１０内に入った虫Ｍが取っ手側すなわち使用者の手Ｈに向かって迫るのを仕切部１７によって阻止することができる。
したがって、特に、蓋体２０を透明または半透明とした場合に、虫Ｍが使用者の手Ｈに向かって来ることによる不気味さ（使用者が受ける可能性のある気味悪さ、不快感）を低減することができる。
なお、蓋体２０の天板部２１は、蓋体２０を閉じた際に仕切部１７の上縁１７ｂにも密に接するように構成する。
【００３１】
以上、本発明の実施の形態について説明したが、本発明は上記の実施の形態に限定されるものではなく、本発明の要旨の範囲内において適宜変形実施可能である。
【符号の説明】
【００３２】
Ｍ：    虫
１：    虫捕獲具
１０：    容器本体
１１：    底板部
１１ａ：  すくい辺
１２：    周壁部
１４：    取っ手部
１７：    仕切部
２０：    蓋体
２１：    天板部
２４：    摘み部
３０：    連結部
４０：    付勢部材
【図１】
2020000118.tif 000003
【図２】
2020000118.tif 000004
【図３】
2020000118.tif 000005
【図４】
2020000118.tif 000006